(57)【要約】【課題】  システム設置に係る初期コストを抑えることができると共に省エネルギーによるランニングコスト低減等の恩恵も得ることができる冷却システムを提供する。【解決手段】  店内温度ＴＩと店内湿度ＵＩに基づいて店内エンタルピＥを求め該店内エンタルピＥに応じた圧縮機５ａ〜５ｃ毎の停止吸入圧力ＰＳａ〜ＰＳｃを設定しているので、各冷蔵冷凍機器１〜４から特殊な運転データを収集することなく、圧縮機５ａ〜５ｃ毎の停止吸入圧力ＰＳａ〜ＰＳｃを適切に設定できる。しかも、店内エンタルピＥに応じた圧縮機５ａ〜５ｃ毎の停止吸入圧力ＰＳａ〜ＰＳｃに基づき各圧縮機５ａ〜５ｃをオンオフ駆動しているので、複数の圧縮機５ａ〜５ｃの選択的な稼動による段階的な能力可変を的確に行える。【選択図】  図１
2007107730.tif 000002
【特許請求の範囲】
【請求項１】
蒸発器への冷媒取り込みを制御することによって冷却を行う複数の冷蔵冷凍機器と、並列接続の複数の圧縮機の選択的な稼動により能力可変を段階的に行うマルチ冷凍機とを備えた冷却システムであって、
店内温度と店内湿度に基づいて店内エンタルピを求め該店内エンタルピに応じた圧縮機毎の停止吸入圧力を設定する手段と、
設定された圧縮機毎の停止吸入圧力に基づいて複数の圧縮機をオンオフ駆動する手段とを備える、
ことを特徴とする冷却システム。
【請求項２】
蒸発器への冷媒取り込みを制御することによって冷却を行う複数の冷蔵冷凍機器と、並列接続の複数の圧縮機の選択的な稼動により能力可変を段階的に行うマルチ冷凍機とを備えた冷却システムであって、
日時に応じた圧縮機毎の停止吸入圧力を設定する手段と、
設定された圧縮機毎の停止吸入圧力に基づいて複数の圧縮機をオンオフ駆動する手段とを備える、
ことを特徴とする冷却システム。
【請求項３】
設定された圧縮機毎の停止吸入圧力に基づいて複数の圧縮機をオンオフ駆動しているときの各圧縮機の所定時間当たりのオンオフ回数をカウントする手段と、
カウントされたオンオフ回数が予め定めた値以上のときに前記停止吸入圧力を高値の停止吸入圧力に変更する手段をさらに備える、
ことを特徴とする請求項１または２に記載の冷却システム。
【請求項４】
設定された圧縮機毎の停止吸入圧力に基づいて複数の圧縮機をオンオフ駆動しているときの実吸入圧力の所定時間当たりの平均値を求める手段と、
求められた平均値が予め定めた値以下のときに前記停止吸入圧力を高値の停止吸入圧力に変更する手段をさらに備える、
ことを特徴とする請求項１または２に記載の冷却システム。
【請求項５】
設定された圧縮機毎の停止吸入圧力に基づいて複数の圧縮機をオンオフ駆動しているときの各冷蔵冷凍機器の実庫内温度の推移を認識する手段と、
認識された実庫内温度の推移が設定庫内温度よりも高い傾向があるときに前記停止吸入圧力を低値の停止吸入圧力に変更する手段をさらに備える、
ことを特徴とする請求項１または２に記載の冷却システム。
【請求項６】
設定された圧縮機毎の停止吸入圧力に基づいて複数の圧縮機をオンオフ駆動しているときに除霜に入った冷蔵冷凍機器の有無を判断する手段と、
除霜に入った冷蔵冷凍機器が有るときにその数と庫内設定温度を把握する手段と、
除霜に入った冷蔵冷凍機器の数と庫内設定温度に基づいて前記停止吸入圧力を高値の停止吸入圧力に変更する手段をさらに備える、
ことを特徴とする請求項１または２に記載の冷却システム。
【請求項７】
設定された圧縮機毎の停止吸入圧力に基づいて複数の圧縮機をオンオフ駆動しているときに除霜から復帰した冷蔵冷凍機器の有無を判断する手段と、
除霜から復帰した冷蔵冷凍機器が有るときにその数と庫内設定温度を把握する手段と、
除霜から復帰した冷蔵冷凍機器の数と庫内設定温度に基づいて前記停止吸入圧力を低値の停止吸入圧力に変更する手段をさらに備える、
ことを特徴とする請求項１または２に記載の冷却システム。
【請求項８】
設定された圧縮機毎の停止吸入圧力に基づいて複数の圧縮機をオンオフ駆動しているときにナイトカバーが装着された冷蔵冷凍機器の有無を判断する手段と、
ナイトカバーが装着された冷蔵冷凍機器が有るときその数と庫内設定温度を把握する手段と、
ナイトカバーが装着された冷蔵冷凍機器の数と庫内設定温度に基づいて前記停止吸入圧力を高値の停止吸入圧力に変更する手段をさらに備える、
ことを特徴とする請求項１または２に記載の冷却システム。
【発明の詳細な説明】
【技術分野】
【０００１】
本発明は、蒸発器への冷媒取り込みを制御することによって冷却を行う複数の冷蔵冷凍機器と、並列接続の複数の圧縮機の選択的な稼動により能力可変を段階的に行うマルチ冷凍機とを備えた冷却システムに関する。
【背景技術】
【０００２】
スーパーマーケット等の比較的大型の店舗にはマルチ冷凍機と称される共用冷凍機を用いた冷却システムが一般に使用されている。この冷却システムは、オープン型冷蔵ショーケースや扉付き冷凍庫等から成る複数の冷蔵冷凍機器と、複数の圧縮機を有するマルチ冷凍機と、各冷蔵冷凍機器及びマルチ冷凍機の運転を管理するメインコントローラとを備えている。
【０００３】
各冷蔵冷凍機器は蒸発器と該蒸発器に冷媒を取り込むための電磁弁と実庫内温度を検出するための温度センサを有し、実庫内温度が設定庫内温度となるように電磁弁の開閉して冷媒取り込みを制御することによって冷却を行う。マルチ冷凍機は並列接続の複数の圧縮機と各圧縮機の吸入側に設けられた複数の圧縮機停止用圧力スイッチを有し、動作圧力値が異なる圧力スイッチの信号に基づき各圧縮機をオンオフ駆動することによって複数の圧縮機の選択的な稼動による段階的な能力可変を行う。
【０００４】
最近では、各圧縮機の回転数を制御することによって能力可変を行うマルチ冷凍機も実用に供されている。このマルチ冷凍機は能力可変をリニアに行えるため、能力可変を段階的に行うタイプのマルチ冷凍機に比べて省エネルギーに貢献できる。
【特許文献１】特許第３６６６１７４号公報
【発明の開示】
【発明が解決しようとする課題】
【０００５】
能力可変をリニアに行うタイプのマルチ冷凍機を用いた冷却システムは省エネルギーによるランニングコスト低減等の恩恵を得ることができるが、能力可変を段階的に行うタイプのマルチ冷凍機を用いた冷凍システムに比べてシステム設置に係る初期コストがかかる。
【０００６】
つまり、能力可変を段階的に行うタイプのマルチ冷凍機でも能力可変をリニアに行うタイプのマルチ冷凍機と近似の能力可変を行えるようにすれば、システム設置に係る初期コストを抑えることができると共に省エネルギーによるランニングコスト低減等の恩恵も得ることができる。
【０００７】
本発明は前記事情に鑑みて創作されたもので、その目的とするところは、システム設置に係る初期コストを抑えることができると共に省エネルギーによるランニングコスト低減等の恩恵も得ることができる冷却システムを提供することにある。
【課題を解決するための手段】
【０００８】
前記目的を達成するため、本発明は、蒸発器への冷媒取り込みを制御することによって冷却を行う複数の冷蔵冷凍機器と、並列接続の複数の圧縮機の選択的な稼動により能力可変を段階的に行うマルチ冷凍機とを備えた冷却システムであって、店内温度と店内湿度に基づいて店内エンタルピを求め該店内エンタルピに応じた圧縮機毎の停止吸入圧力を設定する手段と、設定された圧縮機毎の停止吸入圧力に基づいて複数の圧縮機をオンオフ駆動する手段とを備える、ことをその特徴とする。
【０００９】
この冷却システムによれば、店内温度と店内湿度に基づいて店内エンタルピを求め該店内エンタルピに応じた圧縮機毎の停止吸入圧力を設定しているので、各冷蔵冷凍機器から特殊な運転データを収集することなく、圧縮機毎の停止吸入圧力を適切に設定することができる。しかも、店内エンタルピに応じた圧縮機毎の停止吸入圧力に基づき各圧縮機をオンオフ駆動しているので、複数の圧縮機の選択的な稼動による段階的な能力可変を的確に行うことができる。つまり、能力可変を段階的に行うタイプのマルチ冷凍機でありながらも、能力可変をリニアに行うタイプのマルチ冷凍機と近似の能力可変を行うことができるので、システム設置に係る初期コストを抑えることができると共に省エネルギーによるランニングコスト低減等の恩恵も得ることができる。
【００１０】
また、本発明は、蒸発器への冷媒取り込みを制御することによって冷却を行う複数の冷蔵冷凍機器と、並列接続の複数の圧縮機の選択的な稼動により能力可変を段階的に行うマルチ冷凍機とを備えた冷却システムであって、日時に応じた圧縮機毎の停止吸入圧力を設定する手段と、設定された圧縮機毎の停止吸入圧力に基づいて複数の圧縮機をオンオフ駆動する手段とを備える、ことをその特徴とする。
【００１１】
この冷却システムによれば、日時に応じた圧縮機毎の停止吸入圧力を設定しているので、各冷蔵冷凍機器から特殊な運転データを収集することなく、圧縮機毎の停止吸入圧力を適切に設定することができる。しかも、日時に応じた圧縮機毎の停止吸入圧力に基づき各圧縮機をオンオフ駆動しているので、複数の圧縮機の選択的な稼動による段階的な能力可変を的確に行うことができる。つまり、能力可変を段階的に行うタイプのマルチ冷凍機でありながらも、能力可変をリニアに行うタイプのマルチ冷凍機と近似の能力可変を行うことができるので、システム設置に係る初期コストを抑えることができると共に省エネルギーによるランニングコスト低減等の恩恵も得ることができる。
【発明の効果】
【００１２】
本発明によれば、システム設置に係る初期コストを抑えることができると共に省エネルギーによるランニングコスト低減等の恩恵も得ることができる冷却システムを提供できる。
【００１３】
本発明の前記目的とそれ以外の目的と、構成特徴と、作用効果は、以下の説明と添付図面によって明らかとなる。
【発明を実施するための最良の形態】
【００１４】
図１〜図４は本発明の一実施形態を示す。図１は冷却システムの全体構成図、図２は圧縮機毎の停止吸入圧力の設定に係る処理フローを示す図、図３は圧縮機毎の停止吸入圧力を設定する際に用いられるデータテーブルを示す図、図４は圧縮機の選択的稼動に係る処理フロー示す図である。
【００１５】
まず、図１を参照して、冷却システムの全体構成について説明する。図１中の１〜４は冷蔵冷凍機器、５はマルチ冷凍機、６はメインコントローラ、ＲＰ１は冷媒往き管、ＲＰ２は冷媒戻り管、ＳＬ１，ＳＬ２は信号線である。
【００１６】
各冷蔵冷凍機器１〜４はオープン型冷蔵ショーケースや扉付き冷凍庫等から成り、店内の所定位置に設置されている。各冷蔵冷凍機器１〜４は、蒸発器１ａ〜４ａと、蒸発器１ａ〜４ａの入口側に設けられた膨張弁１ｂ〜４ｂと、膨張弁１ｂ〜４ｂの入口側に設けられた電磁弁１ｃ〜４ｃと、冷却空気を循環するための庫内ファン１ｄ〜４ｄと、実庫内温度（吹き出し温度）ＴＡ１〜ＴＡ４を検出するための庫内温度センサ１ｅ〜４ｅと、コントローラ１ｆ〜４ｆと、設定庫内温度ＴＳ１〜ＴＳ４を定めるための庫内温度設定器１ｇ〜４ｇとを少なくとも備える。因みに、蒸発器（１ａ〜４ａ）への冷媒取り込みを制御する電磁弁（１ｃ〜４ｃ）と膨張弁（１ｂ〜４ｂ）の構成は、両者の機能を併せ持つ電子式膨張弁で代用することもできる。各冷蔵冷凍機器１〜４の蒸発器１ａ〜４ａは冷媒往き管ＲＰ１及び冷媒戻り管ＲＰ２を介してマルチ冷凍機５の冷媒用出口及び冷媒用入口に並列に接続されている。
【００１７】
各コントローラ１ｆ〜４ｆはマイクロコンピュータ構成の制御部と駆動部と通信部と検知部とを有し、各通信部は信号線ＳＬ１を介してメインコントローラ６に接続され、各検知部には庫内温度センサ１ｅ〜４ｅが接続されている。各駆動部は制御部からの信号に基づいて電磁弁１ｃ〜４ｃの開閉駆動と庫内ファン１ｄ〜１ｄのオンオフ駆動等を行う。各制御部のメモリには、実庫内温度（ＴＡ１〜ＴＡ４）が設定庫内温度（ＴＳ１〜ＴＳ４）となるように電磁弁（１ｃ〜４ｃ）を開閉して冷媒取り込みを制御することによって冷却を行うための冷却プログラムと、設定庫内温度（ＴＳ１〜ＴＳ４）と実庫内温度（ＴＡ１〜ＴＡ４）等をメインコントローラ６に伝送するための通信プログラム等が格納されている。
【００１８】
マルチ冷凍機５は、並列接続の複数（図中は３台）の圧縮機５ａ〜５ｃと、圧縮機５ａ〜５ｃの吐出側に設けられた凝縮器５ｄと、圧縮機５ａ〜５ｃの吸入側に設けられた実吸入圧力（ＰＡ）検出用の圧力センサ５ｅと、コントローラ５ｆとを少なくとも備える。因みに、各圧縮機５ａ〜５ｃは同じ能力のものであってもよいし、異なる能力のものであってもよい。マルチ冷凍機５の冷媒用出口（凝縮器５ｂの出口側）には冷媒往き管ＲＰ１の基端が接続され、冷媒用入口（圧縮機５ａ〜５ｃの吸入側）には冷媒戻り管ＲＰ２の終端が接続されている。
【００１９】
コントローラ５ｆはマイクロコンピュータ構成の制御部と駆動部と通信部と検知部とを有し、通信部は信号線ＳＬ２を介してメインコントローラ６に接続され、検知部には圧力センサ５ｅが接続されている。駆動部は制御部からの信号に基づいて各圧縮機５ａ〜５ｃのオンオフ駆動等を行う。制御部のメモリには、複数の圧縮機５ａ〜５ｃを選択的に稼動させるための後述の圧縮機選択稼動プログラムと、実吸入圧力ＰＡ等をメインコントローラ６に伝送するための通信プログラム等が記憶されている。
【００２０】
メインコントローラ６は、マイクロコンピュータ構成の制御部６ａと、入力キーやディスプレイを含む設定部６ｂと、検知部６ｃと、店内温度ＴＩを検出するための店内温度センサ６ｄと、店内湿度ＵＩを検出するための店内湿度センサ６ｅと、通信部６ｆと、通信部６ｆに接続されたコネクタ６ｇとを少なくとも備える。
【００２１】
店内温度センサ６ｄと店内湿度センサ６ｅは各冷蔵冷凍機器１〜４及び店内空調機からの熱的影響を受け難い店内位置に設置されており、検知部６ｃに接続されている。また、コネクタ６ｇには信号線ＳＬ１，ＳＬ２の端が接続されている。さらに、制御部６ａのメモリには、圧縮機５ａ〜５ｃ毎の停止吸入圧力ＰＳａ〜ＰＳｃを設定するための後述の停止吸入圧力設定プログラムと、後述の各種データテーブルと、設定後の停止吸入圧力ＰＳａ〜ＰＳｃをマルチ冷凍機５に伝送するための通信プログラム等が格納されている。
【００２２】
次に、図２及び図３を参照して、メインコントローラ６で実行される圧縮機毎の停止吸入圧力の設定に係る処理フローを説明する。
【００２３】
システム起動後は、店内温度センサ６ｄと店内湿度センサ６ｅで検出された今現在の店内温度ＴＩと店内湿度ＵＩに基づいて店内エンタルピＥを求める（図２のステップＳ１１）。ここでは、予め用意した店内温度ＴＩと店内湿度ＵＩをパラメータとするデータテーブル（図示省略）を利用し、該当する店内温度ＴＩと店内湿度ＵＩとから店内エンタルピＥを選定する。勿論、この店内エンタルピＥは、データテーブルを利用せずに、店内温度ＴＩと店内湿度ＵＩとを変数とした計算式によって求めることも可能である。
【００２４】
店内エンタルピＥを求めた後は、該店内エンタルピＥに応じた圧縮機５ａ〜５ｃ毎の停止吸入圧力ＰＳａ〜ＰＳｃを設定する（図２のステップＳ１２）。ここでは、予め用意した店内エンタルピＥをパラメータとする図３のデータテーブルを利用し、該当する店内エンタルピＥから圧縮機５ａ〜５ｃ毎の停止吸入圧力ＰＳａ〜ＰＳｃを選定する。例えば、店内エンタルピＥがＥ５に該当するときには、圧縮機５ａの停止吸入圧力ＰＳａとして０．３６ＭＰａ、圧縮機５ｂの停止吸入圧力ＰＳｂとして０．４４ＭＰａ、圧縮機５ｃの停止吸入圧力ＰＳｃとして０．５１ＭＰａがそれぞれ選定される。勿論、この圧縮機５ａ〜５ｃ毎の停止吸入圧力ＰＳａ〜ＰＳｃは、データテーブルを利用せずに、店内エンタルピＥを変数とした計算式によって求めることも可能である。
【００２５】
店内エンタルピＥに応じた圧縮機５ａ〜５ｃ毎の停止吸入圧力ＰＳａ〜ＰＳｃを設定した後は、設定した圧縮機５ａ〜５ｃ毎の停止吸入圧力ＰＳａ〜ＰＳｃをマルチ冷凍機５のコントローラ５ｆに伝送する（図２のステップＳ１３）。
【００２６】
次に、図４を参照して、マルチ冷凍機５のコントローラ５ｆで実行される圧縮機の選択的稼動に係る処理フローについて説明する。
【００２７】
マルチ冷凍機５のコントローラ５ｆはメインコントローラ６からの圧縮機５ａ〜５ｃ毎の停止吸入圧力ＰＳａ〜ＰＳｃの伝送を待ち、伝送があったときにはこの圧縮機５ａ〜５ｃ毎の停止吸入圧力ＰＳａ〜ＰＳｃを制御部のメモリに記憶する（図４のステップＳ２１，Ｓ２２）。
【００２８】
そして、圧縮機５ａ〜５ｃ毎の停止吸入圧力ＰＳａ〜ＰＳｃに基づき各圧縮機５ａ〜５ｃをオンオフ駆動することによって複数の圧縮機５ａ〜５ｃの選択的な稼動による段階的な能力可変を行う（図４のステップＳ２３）。
【００２９】
例えば、店内エンタルピＥが図３のＥ５に該当していて圧縮機５ａ〜５ｃ毎の停止吸入圧力ＰＳａ〜ＰＳｃとして０．３６ＭＰａ，０．４４ＭＰａ，０．５１ＭＰａが伝送された場合は、実吸入圧力ＰＡが０．５１ＭＰａよりも大きいときは全ての圧縮機５ａ〜５ｃを稼動し、実吸入圧力ＰＡが０．５１ＭＰａ≧ＰＡ＞０．４４ＭＰａの範囲内にあるときは圧縮機５ａ，５ｂを稼動し、実吸入圧力ＰＡが０．４４ＭＰａ≧ＰＡ＞０．３６ＭＰａの範囲内にあるときは圧縮機５ａを稼動し、実吸入圧力ＰＡが０．３６ＭＰａ以下のときは全ての圧縮機５ａ〜５ｃを停止するように複数の圧縮機５ａ〜５ｃを選択的に稼動して能力可変を段階的に行う。
【００３０】
設定された圧縮機５ａ〜５ｃ毎の停止吸入圧力ＰＳａ〜ＰＳｃに基づいて複数の圧縮機５ａ〜５ｃがオンオフ駆動されているときに、新たな停止吸入圧力ＰＳａ〜ＰＳｃがメインコントローラ６から伝送されたときには、前記と同様に、伝送された新たな停止吸入圧力ＰＳａ〜ＰＳｃを制御部のメモリに記憶し、該停止吸入圧力ＰＳａ〜ＰＳｃに基づいて各圧縮機５ａ〜５ｃをオンオフ駆動することによって複数の圧縮機５ａ〜５ｃの選択的な稼動による段階的な能力可変を行う（図４のステップＳ２４）。
【００３１】
前述の冷却システムによれば、店内温度ＴＩと店内湿度ＵＩに基づいて店内エンタルピＥを求め該店内エンタルピＥに応じた圧縮機５ａ〜５ｃ毎の停止吸入圧力ＰＳａ〜ＰＳｃを設定しているので、各冷蔵冷凍機器１〜４から特殊な運転データを収集することなく、圧縮機５ａ〜５ｃ毎の停止吸入圧力ＰＳａ〜ＰＳｃを適切に設定することができる。しかも、店内エンタルピＥに応じた圧縮機５ａ〜５ｃ毎の停止吸入圧力ＰＳａ〜ＰＳｃに基づき各圧縮機５ａ〜５ｃをオンオフ駆動しているので、複数の圧縮機５ａ〜５ｃの選択的な稼動による段階的な能力可変を的確に行うことができる。
【００３２】
つまり、能力可変を段階的に行うタイプのマルチ冷凍機５でありながらも、能力可変をリニアに行うタイプのマルチ冷凍機と近似の能力可変を行うことができるので、システム設置に係る初期コストを抑えることができると共に省エネルギーによるランニングコスト低減等の恩恵も得ることができる。
【００３３】
また、既存店舗において能力可変を段階的に行うタイプのマルチ冷凍機を用いた冷却システムが未だ多く設置され使用されている現状にあっては、該冷却システムに前記冷却システムと同様の制御を行えるような改良を加えるだけで同様の作用効果を得ることができる。
【００３４】
つまり、能力可変を段階的に行うタイプのマルチ冷凍機を用いた既設の冷却システムを新しい冷却システムに交換することなく、制御系の部分的な改良によって能力可変をリニアに行うタイプのマルチ冷凍機と近似の能力可変を行って省エネルギーを図ることができるので、実用上のメリットが極めて大きい。
【００３５】
図５〜図１０は前記冷却システムにあって圧縮機５ａ〜５ｃ毎の停止吸入圧力ＰＳａ〜ＰＳｃをより適切に設定するための処理フローをそれぞれ示す。
【００３６】
図５に示した処理フローは能力過剰時における停止吸入圧力ＰＳａ〜ＰＳｃの変更に関するものである。ここでは、設定された圧縮機５ａ〜５ｃ毎の停止吸入圧力ＰＳａ〜ＰＳｃに基づいて各圧縮機５ａ〜５ｃをオンオフ駆動しているときの各圧縮機５ａ〜５ｃの所定時間当たりのオンオフ回数をカウントし、カウントされたオンオフ回数が予め定めた値以上のときは能力過剰とみなして前記停止吸入圧力ＰＳａ〜ＰＳｃを高値の停止吸入圧力ＰＳａ〜ＰＳｃに変更している（ステップＳ３１〜Ｓ３４参照）。前記停止吸入圧力ＰＳａ〜ＰＳｃを高値の停止吸入圧力ＰＳａ〜ＰＳｃに変更する方法としては、図３のデータテーブルで選定された今現在の停止吸入圧力ＰＳａ〜ＰＳｃを同データテーブルの１段下或いは２段下の停止吸入圧力ＰＳａ〜ＰＳｃに置換する方法と、図３のデータテーブルで選定された今現在の停止吸入圧力ＰＳａ〜ＰＳｃにそれぞれ所定の値を加算する方法の何れかが採用できる。
【００３７】
図６の処理フローは能力過剰時における停止吸入圧力ＰＳａ〜ＰＳｃの変更に関するものである。ここでは、設定された圧縮機５ａ〜５ｃ毎の停止吸入圧力ＰＳａ〜ＰＳｃに基づいて各圧縮機５ａ〜５ｃをオンオフ駆動しているときの実吸入圧力ＰＡの所定時間当たりの平均値をＡｐａ求め、求められた平均値Ａｐａが予め定めた値以下のときは能力過剰とみなして前記停止吸入圧力ＰＳａ〜ＰＳｃを高値の停止吸入圧力ＰＳａ〜ＰＳｃに変更している（ステップＳ４１〜Ｓ４４参照）。前記停止吸入圧力ＰＳａ〜ＰＳｃを高値の停止吸入圧力ＰＳａ〜ＰＳｃに変更する方法としては、図３のデータテーブルで選定された今現在の停止吸入圧力ＰＳａ〜ＰＳｃを同データテーブルの１段下或いは２段下の停止吸入圧力ＰＳａ〜ＰＳｃに置換する方法と、図３のデータテーブルで選定された今現在の停止吸入圧力ＰＳａ〜ＰＳｃにそれぞれ所定の値を加算する方法の何れかが採用できる。
【００３８】
図７の処理フローは能力不足時における停止吸入圧力ＰＳａ〜ＰＳｃの変更に関するものである。ここでは、設定された圧縮機５ａ〜５ｃ毎の停止吸入圧力ＰＳａ〜ＰＳｃに基づいて各圧縮機５ａ〜５ｃをオンオフ駆動しているときの各冷蔵冷凍機器１〜４の実庫内温度ＴＡ１〜ＴＡ４の推移を認識し、認識された実庫内温度ＴＡ１〜ＴＡ４の推移が設定庫内温度ＴＳ１〜ＴＳ４よりも高い傾向があるときは能力不足とみなして前記停止吸入圧力ＰＳａ〜ＰＳｃを低値の停止吸入圧力ＰＳａ〜ＰＳｃに変更している（ステップＳ５１〜Ｓ５４参照）。前記停止吸入圧力ＰＳａ〜ＰＳｃを低値の停止吸入圧力ＰＳａ〜ＰＳｃに変更する方法としては、図３のデータテーブルで選定された今現在の停止吸入圧力ＰＳａ〜ＰＳｃを同データテーブルの１段上或いは２段上の停止吸入圧力ＰＳａ〜ＰＳｃに置換する方法と、図３のデータテーブルで選定された今現在の停止吸入圧力ＰＳａ〜ＰＳｃからそれぞれ所定の値を減算する方法の何れかが採用できる。
【００３９】
図８の処理フローは冷蔵冷凍機器１〜４の少なくとも１台が除霜運転に入ったときにおける停止吸入圧力ＰＳａ〜ＰＳｃの変更に関するものである。ここでは、設定された圧縮機５ａ〜５ｃ毎の停止吸入圧力ＰＳａ〜ＰＳｃに基づいて各圧縮機５ａ〜５ｃをオンオフ駆動しているときに除霜に入った冷蔵冷凍機器（１〜４）の有無を判断し、除霜に入った冷蔵冷凍機器（１〜４）が有るときにその数と庫内設定温度を把握し、除霜に入った冷蔵冷凍機器（１〜４）の数と庫内設定温度に基づいて能力過剰分を相殺するように前記停止吸入圧力ＰＳａ〜ＰＳｃを高値の停止吸入圧力ＰＳａ〜ＰＳｃに変更している（ステップＳ６１〜Ｓ６４参照）。前記停止吸入圧力ＰＳａ〜ＰＳｃを高値の停止吸入圧力ＰＳａ〜ＰＳｃに変更する方法としては、図３のデータテーブルで選定された今現在の停止吸入圧力ＰＳａ〜ＰＳｃを同データテーブルの１段下或いは２段下の停止吸入圧力ＰＳａ〜ＰＳｃに置換する方法と、図３のデータテーブルで選定された今現在の停止吸入圧力ＰＳａ〜ＰＳｃにそれぞれ所定の値を加算する方法の何れかが採用できる。
【００４０】
図９の処理フローは冷蔵冷凍機器１〜４の少なくとも１台が除霜運転から通常運転に復帰したときにおける停止吸入圧力ＰＳａ〜ＰＳｃの変更に関するものである。ここでは、設定された圧縮機５ａ〜５ｃ毎の停止吸入圧力ＰＳａ〜ＰＳｃに基づいて各圧縮機５ａ〜５ｃをオンオフ駆動しているときに除霜から復帰した冷蔵冷凍機器（１〜４）の有無を判断し、除霜から復帰した冷蔵冷凍機器（１〜４）が有るときにその数と庫内設定温度を把握し、除霜から復帰した冷蔵冷凍機器（１〜４）の数と庫内設定温度に基づいて迅速な冷却が行えるように前記停止吸入圧力ＰＳａ〜ＰＳｃを低値の停止吸入圧力ＰＳａ〜ＰＳｃに変更している（ステップＳ７１〜Ｓ７４参照）。変更後の低値の停止吸入圧力ＰＳａ〜ＰＳｃに基づいて各圧縮機５ａ〜５ｃをオンオフ駆動する時間は短時間で構わないため、同時間に１５分程度の制限を設けて、制限時間経過後に変更前の停止吸入圧力ＰＳａ〜ＰＳｃに再変更してもよい。前記停止吸入圧力ＰＳａ〜ＰＳｃを低値の停止吸入圧力ＰＳａ〜ＰＳｃに変更する方法としては、図３のデータテーブルで選定された今現在の停止吸入圧力ＰＳａ〜ＰＳｃを同データテーブルの１段上或いは２段上の停止吸入圧力ＰＳａ〜ＰＳｃに置換する方法と、図３のデータテーブルで選定された今現在の停止吸入圧力ＰＳａ〜ＰＳｃからそれぞれ所定の値を減算する方法の何れかが採用できる。
【００４１】
図１０の処理フローは冷蔵冷凍機器１〜４の少なくとも１台にナイトカバーが装着されたときにおける停止吸入圧力ＰＳａ〜ＰＳｃの変更に関するものである。ここでは、設定された圧縮機５ａ〜５ｃ毎の停止吸入圧力ＰＳａ〜ＰＳｃに基づいて各圧縮機５ａ〜５ｃをオンオフ駆動しているときにナイトカバーが装着された冷蔵冷凍機器（１〜４）の有無を判断し、ナイトカバーが装着された冷蔵冷凍機器（１〜４）が有るときその数と庫内設定温度を把握し、ナイトカバーが装着された冷蔵冷凍機器（１〜４）の数と庫内設定温度に基づいて能力過剰分を相殺するように前記停止吸入圧力ＰＳａ〜ＰＳｃを高値の停止吸入圧力ＰＳａ〜ＰＳｃに変更している（ステップＳ８１〜Ｓ８４参照）。前記停止吸入圧力ＰＳａ〜ＰＳｃを高値の停止吸入圧力ＰＳａ〜ＰＳｃに変更する方法としては、図３のデータテーブルで選定された今現在の停止吸入圧力ＰＳａ〜ＰＳｃを同データテーブルの１段下或いは２段下の停止吸入圧力ＰＳａ〜ＰＳｃに置換する方法と、図３のデータテーブルで選定された今現在の停止吸入圧力ＰＳａ〜ＰＳｃにそれぞれ所定の値を加算する方法の何れかが採用できる。
【００４２】
図１１は本発明の他の実施形態を示す冷却システムの全体構成図である。同図に示した冷却システムが図１に示した冷却システムと異なるところは、メインコントローラ６から検知部６ｃと店内温度センサ６ｄと店内湿度センサ６ｅを排除し、検知部６ｃの代わりに日時データを制御部６ａに送出するタイマ部６ｈを設けた点にあり、メインコントローラ６の制御部６ａのメモリには、店内エンタルピをパラメータとした停止吸入圧力選定用のデータテーブルの代わりに、日時をパラメータとした停止吸入圧力選定用のデータテーブル（図示省略）が記憶されている。
【００４３】
メインコントローラ６は、システム起動後、タイマ部６ｈから送出された日時データに基づき該日時に応じた圧縮機５ａ〜５ｃ毎の停止吸入圧力ＰＳａ〜ＰＳｃを選定してマルチ冷凍機５のコントローラ５ｆに伝送する。マルチ冷凍機５のコントローラ５ｆは伝送された圧縮機５ａ〜５ｃ毎の停止吸入圧力ＰＳａ〜ＰＳｃに基づき前記と同様に各圧縮機５ａ〜５ｃをオンオフ駆動することによって複数の圧縮機５ａ〜５ｃの選択的な稼動による段階的な能力可変を行う。
【００４４】
この冷却システムによれば、日時に応じた圧縮機５ａ〜５ｃ毎の停止吸入圧力ＰＳａ〜ＰＳｃを設定しているので、各冷蔵冷凍機器１〜４から特殊な運転データを収集することなく、圧縮機５ａ〜５ｃ毎の停止吸入圧力ＰＳａ〜ＰＳｃを適切に設定することができる。しかも、日時に応じた圧縮機５ａ〜５ｃ毎の停止吸入圧力ＰＳａ〜ＰＳｃに基づき各圧縮機５ａ〜５ｃをオンオフ駆動しているので、複数の圧縮機５ａ〜５ｃの選択的な稼動による段階的な能力可変を的確に行うことができる。
【００４５】
つまり、能力可変を段階的に行うタイプのマルチ冷凍機５でありながらも、能力可変をリニアに行うタイプのマルチ冷凍機と近似の能力可変を行うことができるので、システム設置に係る初期コストを抑えることができると共に省エネルギーによるランニングコスト低減等の恩恵も得ることができる。
【００４６】
また、既存店舗において能力可変を段階的に行うタイプのマルチ冷凍機を用いた冷却システムが未だ多く設置され使用されている現状にあっては、該冷却システムに前記冷却システムと同様の制御を行えるような改良を加えるだけで同様の作用効果を得ることができる。
【００４７】
つまり、能力可変を段階的に行うタイプのマルチ冷凍機を用いた既設の冷却システムを新しい冷却システムに交換することなく、制御系の部分的な改良によって能力可変をリニアに行うタイプのマルチ冷凍機と近似の能力可変を行って省エネルギーを図ることができるので、実用上のメリットが極めて大きい。
【００４８】
因みに、図５〜図１０を引用して説明した停止吸入圧力の変更に係る処理フローは図１１に示した冷却システムにも適用することができる。
【００４９】
尚、前述の実施形態では、マルチ冷凍機５として３台の圧縮機５ａ〜５ｃを並列接続したものを示したが、４台以上或いは２台の圧縮機を並列接続したマルチ冷凍機を代わりに用いた場合でも本発明を適用して前記同様の作用効果を得ることができる。
【００５０】
また、前述の実施形態では、４台の冷蔵冷凍機器１〜４を備えた冷却システムを例示しが、冷蔵冷凍機器の台数が５以上の冷却システムであっても本発明を適用して前記同様の作用効果を得ることができる。
【図面の簡単な説明】
【００５１】
【図１】本発明の一実施形態を示す冷却システムの全体構成図である。
【図２】圧縮機毎の停止吸入圧力の設定に係る処理フローを示す図である。
【図３】圧縮機毎の停止吸入圧力を設定する際に用いられるデータテーブルを示す図である。
【図４】圧縮機の選択的稼動に係る処理フロー示す図である。
【図５】停止吸入圧力の変更に係る処理フロー示す図である。
【図６】停止吸入圧力の変更に係る処理フロー示す図である。
【図７】停止吸入圧力の変更に係る処理フロー示す図である。
【図８】停止吸入圧力の変更に係る処理フロー示す図である。
【図９】停止吸入圧力の変更に係る処理フロー示す図である。
【図１０】停止吸入圧力の変更に係る処理フロー示す図である。
【図１１】本発明の他の実施形態を示す冷却システムの全体構成図である。
【符号の説明】
【００５２】
１〜４…冷蔵冷凍機器、１ａ〜４ａ…蒸発器、１ｃ〜４ｃ…電磁弁、１ｆ〜４ｆ…コントローラ、５…マルチ冷凍機、５ａ〜５ｃ…圧縮機、５ｅ…圧力センサ、５ｆ…コントローラ、６…メインコントローラ、６ａ…制御部、６ｄ…店内温度センサ、６ｅ…店内湿度センサ、６ｈ…タイマ部。
【図１】
2007107730.tif 000003
【図２】
2007107730.tif 000004
【図３】
2007107730.tif 000005
【図４】
2007107730.tif 000006
【図５】
2007107730.tif 000007
【図６】
2007107730.tif 000008
【図７】
2007107730.tif 000009
【図８】
2007107730.tif 000010
【図９】
2007107730.tif 000011
【図１０】
2007107730.tif 000012
【図１１】
2007107730.tif 000013